(57)【要約】      （修正有）【課題】容易に組み立て、分解でき、給水時にペットを傷つけることがないペット用給水器を提供する。【解決手段】容器２０と、容器に接続した給水部３０と、給水部に設けられた給水ヘッド３３とを含んでなり、容器には飲料水を充填し、給水部上方に給水ヘッドを設けてなり、給水ヘッドが容器に接続されて水が下方にガイドされ、接続ヘッド３１が延伸して給水管３２となり、給水管の末端に給水ヘッドを接続し、該給水ヘッド内部には止水ボール３４が設けられ、給水ヘッドの予め決められた位置には締結部材３３１が設けられ、該締結部材は手で給水ヘッド３３を捻って回転させることにより給水ヘッドを着脱することができる構造からなる。【選択図】図２
0003159827.tif 000002
【実用新案登録請求の範囲】
【請求項１】
容器と、容器に接続した給水部と、給水部に設けられた給水ヘッドとを含んでなり、
該容器には飲料水を充填し、給水部上方に給水ヘッドを設けてなり、給水ヘッドが容器に接続されて水が下方にガイドされ、接続ヘッドが延伸して給水管となり、給水管の末端に給水ヘッドを接続し、該給水ヘッド内部には止水ボールが設けられ、給水ヘッドの予め決められた位置には締結部材が設けられ、該締結部材は手で給水ヘッドを捻って回転させることにより給水ヘッドを着脱することができる構造からなることを特徴とするペット用給水器。
【請求項２】
前記締結部材が、給水ヘッドの略上方の位置に設けられることを特徴とする請求項１に記載のペット用給水器。
【請求項３】
前記締結部材が、環状の溝面を具えてなることを特徴とする請求項１に記載のペット用給水器。
【請求項４】
前記溝面が、軸方向に直列に溝を形成することを特徴とする請求項３に記載のペット用給水器。
【請求項５】
前記締結部材が、多角形面に形成されることを特徴とする請求項１に記載のペット用給水器。
【請求項６】
前記多角形面が、八角形の面に形成されることを特徴とする請求項５に記載のペット用給水器。
【請求項７】
前記締結部材が、複数の突出した耳部を具えてなることを特徴とする請求項１に記載のペット用給水器。
【請求項８】
前記耳部が、二組形成されることを特徴とする請求項７に記載のペット用給水器。
【請求項９】
前記給水管が、末端外側にネジ溝が設けられ、給水ヘッドには内側にネジ溝が設けられて互いに螺接することを特徴とする請求項１に記載のペット用給水器。
【考案の詳細な説明】
【技術分野】
【０００１】
この考案は、  ペット用給水器であって、特にペットに飲料水を供給するペット用給水器に関する。
【背景技術】
【０００２】
従来のペット用給水器は、飼育するペットの飲料水を供給し、容器内部に水を入れると、給水器がペットに飲料水を提供する。
【０００３】
図１に開示するように、従来のペット用給水器１０は、容器１１、接続ヘッド１２と、給水管１３と、給水ヘッド１４とを含んでなる。
【０００４】
該容器１１の底端部と接続ヘッド１２とは互いに接続し、給水管１３が接続ヘッド１２から延伸し、下方が管状に形成される。
【０００５】
給水管１３の末端には外側表面にネジ溝１３１が設けられ、給水ヘッド１４と螺接する。
【０００６】
給水ヘッド１４は中空の管体で、給水ヘッド１４は内側にネジ溝（図示しない）を具えているため互いに螺接する。
【０００７】
該給水ヘッド１４は表面が滑らかで、給水ヘッド１４内には止水ボール１５が設けられ、ペットに飲料水を供する。
【０００８】
しかしながら、従来の給水器は、ペットに飲料水を供する給水ヘッド１４が、ペットによっては給水ヘッド１４を噛むことがあり、安全性の面から見ると、給水ヘッド１４を給水管１３の末端に強固に固定して抜け落ちないようにしないと、誤って飲み込む危険性がある。
【０００９】
よって、工場出荷時に給水ヘッド１４に機械で力を加えていた。
【００１０】
また、飼育者が給水器をしばらく使用すると、給水ヘッド１４と給水管１３との間に水垢や汚れ、雑多な物質により水が止められるか、或いは熱膨張、冷却で給水ヘッド１４と給水管１３が固まり、給水ヘッド１４を給水管１３から外して洗浄し難くなる。
【００１１】
長期間給水ヘッド１４を外さないと、給水ヘッド１４と給水管１３に汚れが蓄積され、ペットの健康に影響を与える。
【００１２】
給水ヘッド１４の表面が滑らかなため、回転させて外し難い。
【００１３】
工具（ペンチなど）を利用して給水ヘッド１４を回転して取り外すと、給水ヘッド１４が容易に変形するか、或いは給水ヘッド１４を破壊することがある。
【００１４】
長期間給水ヘッド１４を取り外さないと、容易に汚れが蓄積され、給水ヘッド１４内部の止水ボール１５及びその内部の止水部材がいずれもカビが生える、雑多な物質で固定されて、漏水を止めることができず、水滴が容易に形成されて、環境を汚すなど上述の状況が発生する。
【考案の開示】
【考案が解決しようとする課題】
【００１５】
この考案は、容易に組み立て、分解でき、給水時にペットを傷つけることがないペット用給水器を提供することを課題とする。
【課題を解決するための手段】
【００１６】
そこで、本考案者は従来の技術に見られる欠点に鑑みて鋭意研究を重ねた結果、容器と、容器に接続した給水部と、給水部に設けられた給水ヘッドとを含んでなり、
該容器には飲料水を充填し、給水部上方に給水ヘッドを設けてなり、給水ヘッドが容器に接続されて水が下方にガイドされ、接続ヘッドが延伸して給水管となり、給水管の末端に給水ヘッドを接続し、該給水ヘッド内部には止水ボールが設けられ、給水ヘッドの予め決められた位置には締結部材が設けられ、該締結部材は手で給水ヘッドを捻って回転させることにより給水ヘッドを着脱することができる構造からなるペット用給水器によって課題を解決できる点に着眼し、かかる知見に基づいて本考案を完成させた。
【００１７】
以下、この考案について具体的に説明する。
請求項１に記載ペット用給水器は、容器と、容器に接続した給水部と、給水部に設けられた給水ヘッドとを含んでなり、
該容器には飲料水を充填し、給水部上方に給水ヘッドを設けてなり、給水ヘッドが容器に接続されて水が下方にガイドされ、接続ヘッドが延伸して給水管となり、給水管の末端に給水ヘッドを接続し、該給水ヘッド内部には止水ボールが設けられ、給水ヘッドの予め決められた位置には締結部材が設けられ、該締結部材は手で給水ヘッドを捻って回転させることにより給水ヘッドを着脱することができる構造からなる。
【００１８】
請求項２に記載のペット用給水器は、請求項１における締結部材が、給水ヘッドの略上方の位置に設けられる。
【００１９】
請求項３に記載のペット用給水器は、請求項１における締結部材が、環状の溝面を具えてなる。
【００２０】
請求項４に記載のペット用給水器は、請求項３における溝面が、軸方向に直列に溝を形成する。
【００２１】
請求項５に記載のペット用給水器は、請求項１における締結部材が、多角形面に形成される。
【００２２】
請求項６に記載のペット用給水器は、請求項５における多角形面が、八角形の面に形成される。
【００２３】
請求項７に記載のペット用給水器は、請求項１における締結部材が、複数の突出した耳部を具えてなる。
【００２４】
請求項８に記載のペット用給水器は、請求項７における耳部が、二組形成される。
【００２５】
請求項９に記載のペット用給水器は、請求項１における給水管が、末端外側にネジ溝が設けられ、給水ヘッドには内側にネジ溝が設けられて互いに螺接する。
【考案の効果】
【００２６】
この考案のペット用給水器は、組み立て分解が容易なため、給水器を清潔に保つことができるという効果を有する。
【考案を実施するための形態】
【００２７】
この考案は、容易に組み立て、分解でき、給水時にペットを傷つけることがないペット用給水器であって、容器と、容器に接続した給水部と、給水部に設けられた給水ヘッドとを含んでなり、
該容器には飲料水を充填し、給水部上方に給水ヘッドを設けてなり、給水ヘッドが容器に接続されて水が下方にガイドされ、接続ヘッドが延伸して給水管となり、給水管の末端に給水ヘッドを接続し、該給水ヘッド内部には止水ボールが設けられ、給水ヘッドの予め決められた位置には締結部材が設けられ、該締結部材は手で給水ヘッドを捻って回転させることにより給水ヘッドを着脱することができる構造からなることを特徴とするペット用給水器の構造と特徴を詳述するために具体的な実施例を挙げ、図示を参照にして以下に説明する。
【実施例】
【００２８】
図２から図４に開示するように、この考案の給水器は、容器２０と、給水部３０と、を含んでなる。
【００２９】
該給水部３０は、接続ヘッド３１と、給水管３２と、給水ヘッド３３とを含んでなる。
【００３０】
該容器２０は下方に給水部３０を接続する。給水部３０は、上から下へそれぞれ接続ヘッド３１、給水管３２、給水ヘッド３３が設けられる。
【００３１】
該接続ヘッド３１は、容器２０下方に接続して設けられ、容器２０内部の水を下方へガイドする。
【００３２】
接続ヘッド３１は給水管３２に延伸する。給水管３２の末端には外側にネジ溝３２１が設けられ、対応する給水ヘッド３３には内側にネジ溝（図示しない）が設けられる。
【００３３】
よって、給水管３２のネジ溝３２１が給水ヘッド３３のネジ溝に接続して給水管３２の末端が給水ヘッド３３に螺接される。
【００３４】
給水ヘッド３３は、ペットが舐めると飲料水を供給する。
【００３５】
給水ヘッド３３内部には止水ボール３４が設けられる。止水ボール３４をペットが舐めると内部の水がガイドされて外部に流出される。
【００３６】
給水ヘッド３３は、予め定められた位置（略給水ヘッド３３の上方の位置）に、締結部材３３１を設けてなる。
【００３７】
締結部材３３１は、環状の溝面３３１１であって、該溝面３３１１は、軸方向に直列に溝を形成する。
【００３８】
上述の組み合わせからこの考案のペット用給水器を形成する。
【００３９】
締結部材３３１は、手指で給水ヘッド３３を回転するために供し、締結部材３３１で給水ヘッド３３を手で回転させるために便利で、給水ヘッド３３を簡単に着脱することができる。
【００４０】
よって、給水ヘッド３３の表面が滑らかで回転させ難いということを防ぐ。
【００４１】
給水ヘッド３３は、水垢、汚れ、或いは雑多な物質で水がせきとめられる、或いは熱膨張、冷却で給水ヘッド３３と給水管３２とがつまるが、給水ヘッド３３を給水管から簡単に取り外して洗浄することができる。
【００４２】
このため汚れや垢が溜まり、ペットの飲料水や健康に影響が及ぶことを防ぐことができる。
【００４３】
図５、６は、この考案の他の実施形態を示したものである。
【００４４】
図面によれば、締結部材３３１は、多角形面３３１２に形成される。該多角形面３３１２は、八角形、或いは六角形、四角形、三角形など、上述の目的が達成できればいずれの形状でもよい。
【００４５】
図７は、この考案のその他の実施形態を示したものである。
【００４６】
図面によれば、締結部材３３１は、複数の突出した耳部３３１３を具えてなる。
【００４７】
該耳部３３１３は、二組、或いは三組設けられて、上述の目的を達成することができる。
【００４８】
この考案の給水ヘッド３３は、給水管３２とがつまっても、給水ヘッド３３を給水管３２から簡単に取り外して洗浄することができる。
【００４９】
着脱を簡単にする締結部材３３１は、給水ヘッド３３、給水管３２、止水ボール１５を回転して取り外すために便利で、汚れや垢を防ぎ、ペットの水や健康に影響を与えることを防ぐことができる。
【００５０】
締結部材３３１の環状の溝面３３１１は軸方向に排列しているため、ペットが舐めても舌を傷つけることがない。
【００５１】
他の多角形面３３１２、耳部３３１３がいずれも円弧状に角を交差しているため、ペットの舌を傷つけることがない。
【００５２】
給水ヘッド３３を取り外すために何の工具も使用する必要がないため、部材を無傷で、変形、陥没、破壊などから防ぐことができる。
【００５３】
給水ヘッド１４を簡単に取り外すことができ、汚れや垢、苔（給水ヘッド１４内の止水ボール１５及び内部の止水部材はいずれも苔が生えたり、雑多な物質でつまり易い）を容易に洗浄でき、水漏れ、水滴などがないため、環境を汚すなどの問題がない。２
【００５４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５５】
【図１】従来のペット用給水器を示した斜視図である。
【図２】この考案のペット用給水器を示した斜視図である。
【図３】この考案のペット用給水器を示した斜視図である。
【図４】この考案のペット用給水器の給水ヘッドを示した断面図である。
【図５】この考案のペット用給水器の他の形態を示した斜視図である。
【図６】図５に開示するペット用給水器の給水ヘッドを示した断面図である。
【図７】この考案のペット用給水器のその他の実施形態の給水ヘッドを示した断面図である。
【符号の説明】
【００５６】
１０       ペット用給水器
１１       容器
１２       接続ヘッド
１３       給水管
１３１     ネジ溝
１４       給水ヘッド
１５       止水ボール
２０       容器
３０       給水部
３１       接続ヘッド
３２       給水管
３２１     ネジ溝
３３       給水ヘッド
３３１     締結部材
３３１１   溝面
３３１２   多角形面
３３１３   耳部
３４       止水ボール
【図１】
0003159827.tif 000003
【図２】
0003159827.tif 000004
【図３】
0003159827.tif 000005
【図４】
0003159827.tif 000006
【図５】
0003159827.tif 000007
【図６】
0003159827.tif 000008
【図７】
0003159827.tif 000009